(57)【要約】【課題】  ボビンの残りの側面空間を確保した光ピックアップアクチュエータを提供する。【解決手段】  ベースと、前記ベース上に支持部材により遊動自在に配されたボビンと、前記ベース上の一側に設けられ、前記支持部材の一端が接続されたホルダと、前記ボビンをフォーカス方向に駆動するためのフォーカスコイル、トラック方向に駆動するためのトラックコイル、チルト方向に駆動するためのチルトコイル及び前記フォーカスコイル、トラックコイル及びチルトコイルと対向すべく設けられた磁石を備えた磁気駆動部とを含み、前記フォーカスコイル、トラックコイル及びチルトコイルが前記ボビンの両側面に配される。【選択図】  図４
2005285323.tif 000002
【特許請求の範囲】
【請求項１】
ベースと、
前記ベース上に支持部材により遊動自在に配されたボビンと、
前記ベース上の一側に設けられ、前記支持部材の一端が接続されたホルダと、
前記ボビンをフォーカス方向に駆動するためのフォーカスコイル、トラック方向に駆動するためのトラックコイル、チルト方向に駆動するためのチルトコイル及び前記フォーカスコイル、トラックコイル及びチルトコイルと対向するように設けられた磁石を備えた磁気駆動部とを含み、
前記フォーカスコイル、トラックコイル及びチルトコイルが前記ボビンの両側面に配され、
前記フォーカスコイルとチルトコイルとが前記トラックコイルと互いに重畳されないように配され、
前記磁石は、第１分極、第２分極、第３分極および第４分極を有する４分極の面分極磁石であり、
前記トラックコイルは、前記第１および第２分極に対向するように配置され、
前記チルト兼用フォーカスコイルは、一対が備わって第１分極と第４分極とに対向するように配置され、第２分極と第３分極とに対向するように配置され、第２分極と第３分極とに対向するように配置されたことを特徴とする光ピックアップアクチュエータ。
【請求項２】
前記第１分極と第２分極とは、第３分極及び第４分極より広い面積を有することを特徴とする請求項１に記載の光ピックアップアクチュエータ。
【請求項３】
ベースと、
前記ベース上に支持部材により遊動可能に配置されたボビンと、
前記ベース上の一側に設けられ、前記支持部材の一端が接続されたホルダと、
前記ボビンをフォーカス方向に駆動するためのフォーカスコイル、トラック方向に駆動するためのトラックコイル、チルト方向に駆動するためのチルトコイル及び前記フォーカスコイル、トラックコイル及びチルトコイルと対向するように設置された磁石を具備した自己駆動部を含み、
前記フォーカスコイル、トラックコイル及びチルトコイルは、前記ボビンの両側面に配置され、前記支持部材は、前記ボビンの側面のうちフォーカスコイル、チルトコイル及びトラックコイルが配置された側面と異なる両側面に配置され、
前記磁石は、第１分極、第２分極、第３分極及び第４分極を有する４分極磁石であり、前記第１分極と第２分極とは、第３分極及び第４分極より広い面積を有し、前記トラックコイルは、前記第１及び第２分極に対向するように配置され、前記フォーカスコイルは、１対が備わってそれぞれ第１分極と第４分極とにわたって対向するように配置され、前記第２分極と第３分極とにわたって対向するように配置され、前記チルトコイルは、前記１対が備わってそれぞれ第１分極と第４分極とにわたって対向するように配置され、前記第２分極と第３分極とにわたって対向するように配置されたことを特徴とする光ピックアップアクチュエータ。
【請求項４】
前記４分極磁石は、２個の２分極の面分極磁石が１セットからなることを特徴とする請求項３に記載の光ピックアップアクチュエータ。
【請求項５】
前記フォーカスコイルとチルトコイルは、共用のコイルからなることを特徴とする請求項３または４に記載の光ピックアップアクチュエータ。
【請求項６】
前記チルト兼用フォーカスコイルは、前記トラックコイルと互いに重複されないように配置されることを特徴とする請求項５に記載の光ピックアップアクチュエータ。
【請求項７】
前記フォーカスコイル、チルトコイル及びトラックコイルのうち少なくともいずれか一つは、微細類型コイルからなることを特徴とする請求項３または４に記載の光ピックアップアクチュエータ。
【請求項８】
前記フォーカスコイルとチルトコイルとは、前後に重畳されて配置されることを特徴とする請求項３に記載の光ピックアップアクチュエータ。
【請求項９】
前記支持部材は、前記ボビンの側面のうちフォーカスコイル、チルトコイル及びトラックコイルが配置された側面と異なる両側面に配置されたことを特徴とする請求項３ないし８のうちいずれか１項に記載の光ピックアップアクチュエータ。
【請求項１０】
前記支持部材は、ワイヤまたは板スプリングであることを特徴とする請求項８に記載の光ピックアップアクチュエータ。
【請求項１１】
前記磁石は、固定される外側ヨークと前記外側ヨークに対応する内側ヨークとがさらに備わることを特徴とする請求項３または４に記載の光ピックアップアクチュエータ。
【請求項１２】
前記ボビンに対物レンズが搭載されることを特徴とする請求項３または４に記載の光ピックアップアクチュエータ。
【請求項１３】
前記フォーカスコイルとチルトコイルとは、前記磁石の縦方向の中心線を中心に対称的に配置されることを特徴とする請求項１または３に記載の光ピックアップアクチュエータ。
【請求項１４】
ベースと、
前記ベース上に支持部材により遊動可能に配置されたボビンと、
前記ベース上の一側に設けられ、前記支持部材の一端が接続されたホルダと、
前記ボビンをフォーカス方向とチルト方向とに駆動するためのフォーカス兼用チルトコイル、トラック方向に駆動するためのトラックコイル及び前記フォーカス兼用チルトコイル及びトラックコイルと対向するように設置された磁石を具備した磁気駆動部を含み、
前記フォーカス兼用チルトコイル及びトラックコイルは、前記ボビンの対向する両側面にだけ配置され、前記支持部材は、前記コイルが配置されていない残りのボビンの両側面に結合され、前記フォーカス兼用チルトコイルは、前記トラックコイルと互いに重畳されないように配置されることを特徴とする光ピックアップアクチュエータ。
【発明の詳細な説明】
【技術分野】
【０００１】
本発明は光ピックアップアクチュエータに係り、特にボビンのフォーカス方向、トラック方向及びチルト方向駆動のためのフォーカスコイル、トラックコイル及びチルトコイルをボビンの両側面に備えてボビンの残りの側面空間を確保した光ピックアップアクチュエータに関する。
【背景技術】
【０００２】
一般的に、光ピックアップは光記録／再生装置に採用されて記録媒体の光ディスクの半径方向に移動しつつ非接触式にターンテーブルに搭載された光ディスクについて情報の記録及び／または再生を行う装置である。
【０００３】
この光ピックアップは光源から出射された光を集束して光ディスクに光スポットを形成する対物レンズと、この対物レンズにより形成された光スポットが光ディスクの正確な位置に置かるべく前記対物レンズをトラック方向、フォーカス方向及びチルト方向に制御するアクチュエータを含む。
【０００４】
光ピックアップアクチュエータには、基本的にトラック方向とフォーカス方向駆動のための２軸の駆動アクチュエータがある。ところで、最近は高密度記録のために対物レンズの開口数が増え、レーザの波長が短くなるにつれて光ピックアップアクチュエータのチルトマージンが減るので、これを補償するために既存の２軸駆動以外にチルト方向駆動まで可能な３軸駆動または４軸駆動アクチュエータが要求される。３軸駆動はフォーカス方向、トラック方向及びチルトラジアル方向駆動を意味し、４軸駆動はフォーカス方向、トラック方向、チルトラジアル方向及びチルトタンジェンシャル駆動を意味する。図１を参照すれば、フォーカス方向がＬ−Ｌ’、トラック方向がＭ−Ｍ’、チルトラジアル方向がＮ、チルトタンジェンシャル方向がＯとそれぞれ表示されている。
【０００５】
図１を参照すれば、従来の光ピックアップ用アクチュエータは、ベース１００と、このベース１００に固定されたホルダ１０３と、対物レンズ１０５が搭載されたボビン１０７と、前記ボビン１０７から前記ホルダ１０３まで連結されたワイヤ１０９と、前記ボビン１０７をトラック方向、フォーカス方向またはチルト方向に動かす磁気駆動部とを備える。
【０００６】
前記磁気駆動部は、前記ボビン１０７の対面する側面１０７ａにそれぞれ１対ずつ設けられたフォーカスコイル１１０とチルトコイル１１２、前記フォーカスコイル１１０とチルトコイル１１２とが配されていない他の側面１０７ｂに配されたトラックコイル１１５及び前記フォーカスコイル１１０、チルトコイル１１２及びトラックコイル１１５に対向すべく所定間隔をおいて前記ベース１００上に設された第１磁石１１７及び第２磁石１１９を含む。また、前記ベース１００に設けられて前記第１磁石１１７及び第２磁石１１９をそれぞれ固定する外側ヨーク１１８，１２０と、前記第１磁石１１７に対して対面する位置の前記ベース１００に設けられて前記ボビン１０７をガイドする内側ヨーク１２２とがさらに備わる。前記外側ヨーク１１８，１２０と内側ヨーク１２２とは前記第１及び第２磁石１１７，１１９による磁場が所望する所に向かうべく誘導するためのものである。
【０００７】
一方、前記ワイヤ１０９は一端が前記ボビン１０７の両側面にハンダ付けされ、他端が前記ホルダ１０３に連結されて磁気駆動部に電流を印加する回路部に電気的に接続される。
【０００８】
図２は、前記フォーカスコイル１１０及びチルトコイル１１２とこれに対応する第１磁石１１７との相互作用による力関係を説明するために磁石の極性と電流方向とを例にとって概略的に示した。ここで、前記ボビン１０７の四側面のうち二側面１０７ａに備わった前記フォーカスコイル１１０は、フレミングの左手法則により力Ｆｆを受けてボビン１０７がフォーカス方向Ｌに運動する。電流Ｉの方向が反対になれば、フォーカスコイル１１０は反対方向Ｌ’に力を受ける。
【０００９】
一方、前記チルトコイル１１２は前記ボビン１０７の二側面１０７ａに前記フォーカスコイル１１０と共に１対が備わって前記第１磁石１１７と相互作用を行う。この時、両側チルトコイル１１２にそれぞれ大きさが同じで方向が反対の電流を印加すれば、両側チルトコイルが受ける力Ｆｔｉが互いに反対になるので、チルト方向、特にラジアルチルト方向Ｎ駆動になる。
【００１０】
また、図３は前記トラックコイル１１５とこれに対応する第２磁石１１９との相互作用による力関係を説明するために磁石の極性と電流方向とを例にとって概略的に示した。磁石とコイル間の力の方向と大きさとはフレミングの左手法則により決まる。従って、前記ボビン１０７の四側面のうち前記フォーカスコイル１１０及びチルトコイル１１２が配されていない他の二側面１０７ｂに備わったトラックコイル１１５が第２磁石１１９によりトラック方向の力Ｆｔを受けてボビン１０７がトラック方向Ｍ駆動を行う。ここで、電流Ｉの方向が反対になればトラックコイル１１５は反対方向Ｍ’に力を受ける。
【００１１】
上記の通りにフォーカス方向、トラック方向及びチルト方向駆動のためには一般的にアクチュエータのワイヤ１０９が６本よりなる。さらに、４軸駆動アクチュエータの場合にはより多くのワイヤが要求されうる。ところで、光ピックアップ用のアクチュエータは非常に小型であるゆえに、従来のようにフォーカスコイル、トラックコイルまたはチルトコイルを設けるために前記ボビン１０７の四側面を全て使用すれば前記ワイヤ１０９設置時に、空間的制約を受ける。それのみだけではなく、ワイヤ数が多くなれば狭い空間でワイヤを付着する工程が非常に困難になり、それにより不良率が高まる。
【００１２】
また、前記ボビン１０７の四側面を全て使用してコイルを配すればコイル間配線が複雑になり、磁石もフォーカスコイル及びチルトコイルとトラックコイルとに対してそれぞれ備わるので、部品数増加により生産性が低下する問題点がある。さらに、前記ボビン１０７の左右に配されたフォーカスコイル用第１磁石１１７による影響によりディスク回転のためのスピンドルモータ（図示せず）との干渉が生じ、スピンドルモータの正確な制御に悪影響を与えうる。
【発明の開示】
【発明が解決しようとする課題】
【００１３】
本発明は前記の問題点を解決するために案出されたものであり、ボビンのフォーカス方向、トラック方向及びチルト方向駆動のためのフォーカスコイル、トラックコイル及びチルトコイルをボビンの両側面に配することによりボビンの他方向両側面に余裕空間を確保できる光ピックアップアクチュエータを提供するところに目的がある。
【課題を解決するための手段】
【００１４】
前記の目的を達成するために本発明による光ピックアップアクチュエータは、ベースと、前記ベース上に支持部材により遊動自在に配されたボビンと、前記ベース上の一側に設けられ、前記支持部材の一端が接続されたホルダと、前記ボビンをフォーカス方向に駆動するためのフォーカスコイル、トラック方向に駆動するためのトラックコイル、チルト方向に駆動するためのチルトコイル及び前記フォーカスコイル、トラックコイル及びチルトコイルと対向すべく設された磁石を備えた磁気駆動部とを含み、前記フォーカスコイル、トラックコイル及びチルトコイルが前記ボビンの両側面に配されることを特徴とする。
また、前記磁石は４分極の面分極磁石であることを特徴とする。
また、前記磁石は少なくとも２つの２分極の面分極磁石が１セットによりなることを特徴とする。
また、前記フォーカスコイルとチルトコイルとが一つのコイルによりなることを特徴とする。
また、前記フォーカスコイルとチルトコイルとが別途のコイルによりなることを特徴とする。
また、前記フォーカスコイル、チルトコイル及びトラックコイルのうち少なくともいずれの一つが微細コイルによりなることを特徴とする。
また、前記フォーカスコイルとチルトコイルとが前後に重複して配されることを特徴とする。
また、前記支持部材が前記ボビンの側面のうちフォーカスコイル、チルトコイル及びトラックコイルが配された側面と異なる両側面に配されたことを特徴とする。
また、前記支持部材がワイヤまたは板スプリングであることを特徴とする。
また、前記磁石が固定される外側ヨークと前記外側ヨークに対応する内側ヨークとがさらに備わることを特徴とする。
【発明の効果】
【００１５】
前述のように、本発明による光ピックアップアクチュエータは、ボビンの両側面にフォーカスコイル、トラックコイル及びチルトコイルを備え、コイルが備わっていないボビンの他方両側面に自由空間を確保する。それにより、ボビンの他方両側面にワイヤを容易に設置でき、不良率を減らせ、３軸駆動及び４軸駆動を安全に具現できる。
【発明を実施するための最良の形態】
【００１６】
図４及び図５を参照すれば、本発明による光ピックアップアクチュエータはベース１０、前記ベース１０上の一側に設けられたホルダ１２、対物レンズ１４が搭載されたボビン１５、前記ボビン１５をフォーカス方向、チルト方向及びトラック方向にそれぞれ駆動させるための磁気駆動部を含む。
【００１７】
前記磁気駆動部は前記ボビン１５の両側面にフォーカス方向駆動のための少なくとも一つのフォーカスコイルと、トラック方向駆動のための少なくとも一つのトラックコイルと、チルト方向駆動のための少なくとも一つのチルトコイル及び前記フォーカスコイル、トラックコイル及びチルトコイルに対向すべく設された磁石２２とを含む。
【００１８】
例えば、前記少なくとも一つのフォーカスコイルは第１、第２、第３及び第４フォーカスコイルＦＣ１，ＦＣ２，ＦＣ３，ＦＣ４より構成され、前記トラックコイルは二つのコイルＴＣ１，ＴＣ２より構成されうる。また、前記磁石２２は前記ボビン１５を挟んで前記第１、第２、第３及び第４フォーカスコイルＦＣ１，ＦＣ２，ＦＣ３，ＦＣ４、トラックコイルＴＣ１，ＴＣ２及びチルトコイルに対向すべく設けられる。ここで、前記第１ないし第４フォーカスコイルＦＣ１，ＦＣ２，ＦＣ３，ＦＣ４、トラックコイルＴＣ１，ＴＣ２及びチルトコイルは全て前記ボビン１５の両側面に配され、コイルが配されていないボビン１５の残りの両側面には前記第１ないし第４フォーカスコイルＦＣ１，ＦＣ２，ＦＣ３，ＦＣ４、トラックコイルＴＣ１，ＴＣ２及びチルトコイルに電流を印加するための支持部材３０が配される。前記支持部材３０は、例えばワイヤまたは板スプリングでありうる。
【００１９】
前記構成では、前記第１ないし第４フォーカスコイルＦＣ１，ＦＣ２，ＦＣ３，ＦＣ４がフォーカス方向駆動とチルト方向駆動を共に制御するようになっている。
【００２０】
一方、前記磁石２２は、例えば図６に示されたように４分極になっている。すなわち、磁石２２全体が４つのセクションに分けられ、Ｎ極とＳ極とに適切に分配されている。便宜上、４分極になった磁石を第１分極２２ａ、第２分極２２ｂ、第３分極２２ｃ及び第４分極２２ｄに分け、第１分極２２ａはＮ極、第２分極２２ｂはＳ極、第３分極２２ｃはＮ極、第４分極２２ｄはＳ極とする。そして、前記磁石２２の各分極２２ａ，２２ｂ，２２ｃ，２２ｄに対して前記フォーカスコイルＦＣ１，ＦＣ２，ＦＣ３，ＦＣ４、トラックコイルＴＣ１，ＴＣ２がそれぞれ対応すべく配される。
【００２１】
例えば、前記トラックコイルＴＣ１，ＴＣ２は前記第１分極２２ａと第２分極２２ｂ両方にかけて対向するように配される。そして、前記フォーカスコイルＦＣ１，ＦＣ２，ＦＣ３，ＦＣ４は前記トラックコイルＴＣ１，ＴＣ２が配されたボビン１５の両側面に共に１対ずつそれぞれ備わるが、前記第１分極２２ａと第４分極２２ｄとにかけて対向するように配されると共に、前記第２分極２２ｂと第３分極２２ｃとにかけて対向するように配されうる。
【００２２】
これと異なり、前記磁石２２は２分極の面分極磁石であってもよい。例えば、２分極の面分極磁石２つを１セットとし、前記フォーカスコイルＦＣ１，ＦＣ２，ＦＣ３，ＦＣ４及びトラックコイルＴＣ１，ＴＣ２に対向すべく所定間隔離隔されて配されうる。
【００２３】
ここで、前記フォーカスコイルＦＣ１，ＦＣ２，ＦＣ３，ＦＣ４及びトラックコイルＴＣ１，ＴＣ２は巻線コイルであってもよい。または、図７に示されたようにフォーカスコイル、チルトコイル及びトラックコイルのうち少なくともいずれの一つは微細コイル２０であってもよい。微細コイル２０はフィルム上にコイル形態をパターニングして製造されたものであり、小さな空間に非常に有用に設置できる。
【００２４】
前述の実施形態は、チルトコイルが前記フォーカスコイルＦＣ１，ＦＣ２，ＦＣ３，ＦＣ４と共用に使われる場合である。すなわち、一つのコイルでフォーカス方向とチルト方向駆動を共に制御する。また、他の実施形態として、チルトコイルを前記フォーカスコイルと別途に備えられる。この場合には、図８に示されたように第１、第２、第３及び第４チルトコイルＴｉＣ１，ＴｉＣ２，ＴｉＣ３，ＴｉＣ４が前記第１、第２、第３及び第４フォーカスコイルＦＣ１，ＦＣ２，ＦＣ３，ＦＣ４と類似の位置に重複するように配される。ここで、前記コイルが第１及び第２微細コイル３５，３６状に配される。
【００２５】
磁石２２は前述の通り４分極２２ａ，２２ｂ，２２ｃ，２２ｄの磁石をそのまま利用でき、前記フォーカスコイルＦＣ１，ＦＣ２，ＦＣ３，ＦＣ４は前記第１分極２２ａと第４分極２２ｄとにかけて対向するように配されると共に、前記第２分極２２ｂと第３分極２２ｃとかけて対向するように配される。また、前記チルトコイルＴｉＣ１，ＴｉＣ２，ＴｉＣ３，ＴｉＣ４がパターニングされた第２微細コイル３６は前記フォーカスコイルＦＣ１，ＦＣ３とトラックコイルＴＣ１とがパターニングされた第１微細コイル３５の前面または背面に配置可能である。前記チルトコイルは、例えば前記ボビン１５の両側面１５ａに１対ずつ配されうる。図面では、両側面のうち一方面の第１及び第３チルトコイルＴｉＣ１，ＴｉＣ３だけ示されているが、他方面にも同一に第２及び第４チルトコイルＴｉＣ２，ＴｉＣ４が配される。
【００２６】
一方、前記磁石２２は分極面積が対称に４分極にもなりうるが、前記トラックコイルＴＣ１，ＴＣ２の有効面積を確保するためにトラックコイルに対応する第１分極２２ａ及び第２分極２２ｂを第３分極２２ｃ及び第４分極２２ｄより広い面積に分極させられる。換言すれば、前記フォーカスコイルＦＣ１，ＦＣ２，ＦＣ３，ＦＣ４及びチルトコイルＴｉＣ１，ＴｉＣ２，ＴｉＣ３，ＴｉＣ４、は前記第１ないし第４分極２２ａ，２２ｂ，２２ｃ，２２ｄを全て使用するのに対し、前記トラックコイルＴＣ１，ＴＣ２は第１分極２２ａ及び第２分極２２ｂだけを使用するので、フォーカスコイルＦＣ１，ＦＣ２，ＦＣ３，ＦＣ４及びチルトコイルＴｉＣ１，ＴｉＣ２，ＴｉＣ３，ＴｉＣ４との均衡的な配分のために分極面積を調節できる。
【００２７】
また、前記磁石２２の各分極２２ａ，２２ｂ，２２ｃ，２２ｄ間に中性区域２３を置ける。この中性区域２３は、極性が互いに反対の接点地域で磁力線が相殺されることにより全体的な磁力が弱まることを防止するために各分極の境界地点に作られる。
【００２８】
そして、前記磁石２２により生じる磁力線を所望の所へ誘導するために外側ヨーク２５と内側ヨーク２７とをさらに備える。
【００２９】
次は、上記の通り構成された本発明による光ピックアップアクチュエータの作用関係を説明する。
まず、フォーカスコイルとチルトコイルとを共用する場合について説明する。前記フォーカスコイルＦＣ１，ＦＣ２，ＦＣ３，ＦＣ４と磁石２２との相互作用によりフォーカス方向Ｆとチルト方向Ｔとに駆動される。
【００３０】
前記フォーカスコイルＦＣ１，ＦＣ２，ＦＣ３，ＦＣ４に電流をどの方向に印加するかにより駆動方向が決まる。前記フォーカスコイルに電流を印加する一つの方法として、前記第１及び第２フォーカスコイルＦＣ１，ＦＣ２の電流入力が共通であり、残りの第３及び第４フォーカスコイルＦＣ３，ＦＣ４の電流入力が共通でありうる。もう一つの方法は、前記第１ないし第４フォーカスコイルＦＣ１，ＦＣ２，ＦＣ３，ＦＣ４にそれぞれ別途の電流を印加する方法である。
【００３１】
前者の場合に、第１及び第２フォーカスコイルＦＣ１，ＦＣ２及び第３及び第４フォーカスコイルＦＣ３，ＦＣ４に全て同じ方向の電流が印加されれば、前記磁石２２との相互作用により前記第１ないし第４フォーカスコイルＦＣ１，ＦＣ２，ＦＣ３，ＦＣ４が上向きまたは下向きの方向に力を受ける。従って、前記ボビン１５のフォーカス方向Ｆの駆動を制御できる。これに対し、前記第１及び第２フォーカスコイルＦＣ１，ＦＣ２と第３及び第４フォーカスコイルＦＣ３，ＦＣ４に互いに反対方向の電流が印加されれば、前記フォーカスコイルが左右からそれぞれ上向きまたは下向きの反対方向に力を受ける。従って、前記ボビン１５のチルト方向駆動を制御できる。これにより、フォーカス方向Ｆ、トラック方向Ｔ及び半径方向チルトＴｉｒの３軸駆動が可能である。
【００３２】
これと異なり、前記フォーカスコイルＦＣ１，ＦＣ２，ＦＣ３，ＦＣ４のうち第１及び第３フォーカスコイルＦＣ１，ＦＣ３の入力が共通であり、他側面にある第２及び第４フォーカスコイルＦＣ２，ＦＣ４の入力が共通である時、互いに反対方向の電流を印加すればタンジェンシャル方向Ｔｉｔのチルト駆動が可能である。
【００３３】
さらに他の方式として前記フォーカスコイルＦＣ１，ＦＣ２，ＦＣ３，ＦＣ４にそれぞれ独立的に電流が印加される場合、前記四つのフォーカスコイルに電流方向が同一に印加されれば、前記ボビン１５が上下方向に運動することによりフォーカス方向Ｆに駆動される。
【００３４】
これに対し、第１ないし第４フォーカスコイルのうち第１及び第２フォーカスコイルＦＣ１，ＦＣ２と第３及び第４フォーカスコイルＦＣ３，ＦＣ４にそれぞれ電流方向が反対に印加されれば、半径方向のチルト駆動Ｔｉｒがなされる。または、前記第１ないし第４フォーカスコイルのうち第１及び第３フォーカスコイルＦＣ１，ＦＣ３と第２及び第４フォーカスコイルＦＣ２，ＦＣ４とにそれぞれ電流方向が反対に印加されれば、タンジェンシャル方向のチルト駆動Ｔｉｔがなされる。
【００３５】
また、前記トラックコイルＴＣ１，ＴＣ２は第１分極２２ａ及び第２分極２２ｂとの相互作用により前記ボビン１５がトラック方向Ｔに運動する。このように、フォーカス方向Ｆ、トラック方向Ｔ、ラジアルチルト方向Ｔｉｒ及びタンジェンシャルチルト方向Ｔｉｔの４軸駆動が可能である。
【００３６】
次は、図８に示されたように前記ボビン１５の同側面に第１ないし第４フォーカスコイルＦＣ１，ＦＣ２，ＦＣ３，ＦＣ４と第１ないし第４チルトコイルＴｉＣ１，ＴｉＣ２，ＴｉＣ３，ＴｉＣ４とが別途に備わった場合に、コイルと磁石間の作動関係を説明する。
【００３７】
前記第１ないし第４フォーカスコイルＦＣ１，ＦＣ２，ＦＣ３，ＦＣ４には電流入力を共通にできる。この場合、単純に電流の方向により前記ボビン１５を上向きまたは下向きに駆動できる。トラックコイルＴＣ１，ＴＣ２は前述したのと同一なのでこれに関する説明はここでは省略する。
【００３８】
前記第１ないし第４チルトコイルＴｉＣ１，ＴｉＣ２，ＴｉＣ３，ＴｉＣ４にはそれぞれ独立的に電流を印加してラジアルチルト方向Ｔｉｒとタンジェンシャルチルト方向Ｔｉｔに駆動できる。まず、第１及び第２チルトコイルＴｉＣ１，ＴｉＣ２に同電流を印加し、第３及び第４チルトコイルＴｉＣ３，ＴｉＣ４にそれと反対の電流を印加すれば、ラジアルチルト方向Ｔｉｒに駆動できる。これと異なり、第１及び第３チルトコイルＴｉＣ１，ＴｉＣ３に同電流を印加し、第２及び第４チルトコイルＴｉＣ２，ＴｉＣ４にそれと反対の電流を印加すれば、タンジェンシャルチルト方向Ｔｉｔに駆動できる。
【００３９】
一方、前記磁石の分極配置とコイル配置とについての前記説明は一例に過ぎず、発明の要旨を変更しない範囲内でさまざまな変形が可能であることはもちろんである。
【図面の簡単な説明】
【００４０】
【図１】従来の光ピックアップアクチュエータの平面図である。
【図２】従来の光ピックアップアクチュエータの磁石とコイルとの関係を概略的に示した図面である。
【図３】従来の光ピックアップアクチュエータの磁石とコイルとの関係を概略的に示した図面である。
【図４】本発明の一実施形態による光ピックアップアクチュエータの分解斜視図である。
【図５】本発明の一実施形態による光ピックアップアクチュエータの平面図である。
【図６】本発明による光ピックアップアクチュエータにおいて磁石とコイル間の配置関係を概略的に示した図面である。
【図７】本発明による光ピックアップアクチュエータにて磁石と微細コイル間に作用する力関係を示した図面である。
【図８】本発明の他の実施形態による光ピックアップアクチュエータの分解斜視図である。
【符号の説明】
【００４１】
１０    ベース
１２    ホルダ
１４    対物レンズ
１５    ボビン
２２    磁石
２５    外側ヨーク
２７    内側ヨーク
３０    支持部材
ＦＣ１，ＦＣ３    フォーカスコイル
ＴＣ１，ＴＣ２    トラックコイル
【図１】
2005285323.tif 000003
【図２】
2005285323.tif 000004
【図３】
2005285323.tif 000005
【図４】
2005285323.tif 000006
【図５】
2005285323.tif 000007
【図６】
2005285323.tif 000008
【図７】
2005285323.tif 000009
【図８】
2005285323.tif 000010